(57)【要約】【課題】  無線伝送路を介して複数のコンテンツ提供手段からのタイトルデータを効率的に取得・表示できるとともに、ユーザの入力操作に伴う負担を軽減できるデータ伝送システムを提供する。【解決手段】  サーバ機器とクライアント機器とが伝送路を介して通信可能に構成されたデータ伝送システムにおいて、クライアント機器はタイトルデータを格納可能なタイトルデータ記憶手段と、複数のコンテンツ提供手段から取得された複数のタイトルデータをコンテンツ提供手段ごとにタイトルデータ記憶手段に格納するタイトルデータ管理手段と、を備え、タイトルデータ管理手段は、所定の入力操作情報を受信することに基づいて、タイトルデータ記憶手段に格納された複数のタイトルをタイトル表示制御手段により出力手段に表示させるようにした。【選択図】  図３
2006270686.tif 000002
【特許請求の範囲】
【請求項１】
ＡＶデータ及びＡＶデータに対応するタイトルデータを含むディジタルデータが格納された複数のコンテンツ提供手段からタイトルデータを取得するタイトルデータ取得手段を有するサーバ機器と、
上記タイトルデータ取得手段により取得されたタイトルデータを出力手段に表示するタイトル表示制御手段を有するクライアント機器と、を備え、
上記サーバ機器とクライアント機器とが伝送路を介して通信可能に構成されたデータ伝送システムにおいて、
上記クライアント機器は、対応するＡＶデータを再生するためのコマンドデータを含むタイトルデータを格納可能なタイトルデータ記憶手段と、複数のコンテンツ提供手段から取得された複数のタイトルデータをコンテンツ提供手段ごとに上記タイトルデータ記憶手段に格納するタイトルデータ管理手段と、所定の入力操作情報を受信することに基づいて、上記再生コマンドデータを上記サーバ機器に送信し対応するＡＶデータの再生を要求する再生制御手段と、を備え、
上記タイトルデータ取得手段は、上記コンテンツ提供手段に格納されたタイトルデータを監視可能に構成され、上記コンテンツ提供手段においてタイトルデータが更新された場合にタイトルデータを取得し、
上記タイトルデータ管理手段は、所定の入力操作情報を受信することに基づいて、上記タイトルデータ記憶手段に格納された複数のタイトルを上記タイトル表示制御手段により出力手段の同一画面に表示させることを特徴とするデータ伝送システム。
【請求項２】
ＡＶデータ及びＡＶデータに対応するタイトルデータを含むディジタルデータが格納されたコンテンツ提供手段からタイトルデータを取得するタイトルデータ取得手段を有するサーバ機器と、
上記タイトルデータ取得手段により取得されたタイトルデータを出力手段に表示するタイトル表示制御手段を有するクライアント機器と、を備え、
上記サーバ機器とクライアント機器とが伝送路を介して通信可能に構成されたデータ伝送システムにおいて、
上記クライアント機器は、タイトルデータを格納可能なタイトルデータ記憶手段と、複数のコンテンツ提供手段から取得された複数のタイトルデータをコンテンツ提供手段ごとに上記タイトルデータ記憶手段に格納するタイトルデータ管理手段と、を備え、
上記タイトルデータ管理手段は、所定の入力操作情報を受信することに基づいて、上記タイトルデータ記憶手段に格納された複数のタイトルを上記タイトル表示制御手段により出力手段に表示させることを特徴とするデータ伝送システム。
【請求項３】
上記タイトルデータ取得手段は、上記コンテンツ提供手段に格納されたタイトルデータを監視可能に構成され、
上記コンテンツ提供手段においてタイトルデータが更新された場合にタイトルデータを取得することを特徴とする請求項２に記載のデータ伝送システム。
【請求項４】
上記タイトルデータは、タイトルデータに対応するＡＶデータを再生するためのコマンドデータを含み、
上記クライアント機器は、所定の入力操作情報を受信することに基づいて、上記再生コマンドデータを上記サーバ機器に送信し対応するＡＶデータの再生を要求する再生制御手段を備えることを特徴とする請求項２又は３に記載のデータ伝送システム。
【請求項５】
上記タイトルデータ管理手段は、所定の入力操作情報を受信することに基づいて、上記タイトルデータ記憶手段に格納された複数のタイトルを上記タイトル表示制御手段により出力手段の同一画面に表示させることを特徴とするデータ伝送システム。
【請求項６】
上記サーバ機器は、複数のコンテンツ提供装置を接続可能に構成されることを特徴とする請求項２から５の何れかに記載のデータ伝送システム。
【請求項７】
ＡＶデータ及びＡＶデータに対応するタイトルデータを含むディジタルデータが格納された複数のコンテンツ提供手段から取得されたタイトルデータを出力手段に表示するタイトル表示制御手段を有する映像信号処理装置であって、
上記タイトルデータを格納可能なタイトルデータ記憶手段と、複数のコンテンツ提供手段から取得された複数のタイトルデータをコンテンツ提供手段ごとに上記タイトルデータ記憶手段に格納するタイトルデータ管理手段と、を備え、
上記タイトルデータ管理手段は、所定の入力操作情報を受信することに基づいて、上記タイトルデータ記憶手段に格納された複数のタイトルを上記タイトル表示制御手段により出力手段に表示させることを特徴とする映像信号処理装置。
【発明の詳細な説明】
【技術分野】
【０００１】
本発明は、無線伝送路を介して高ビットレートのＡＶデータ（映像データ及び音声データ）等を伝送可能なデータ伝送システムに関し、特に、複数のコンテンツ提供手段からタイトルデータを効率的に取得・表示できるデータ伝送システムに関する。
【背景技術】
【０００２】
近年、ＤＶＤレコーダやＨＤＤレコーダ、パソコンの普及が目覚ましく、それに伴い個人が家庭で視聴しうるビデオ資産も増えてきてきる。そして、ＤＶＤ／ＨＤＤレコーダやパソコンなどに蓄積された映像情報等のコンテンツを、見たいときに、見たい場所で楽しむということが求められており、ホームネットワークを利用してテレビやパソコンなどのクライアント機器に出力可能とする技術が提案されている。映像データや音声データなどの大量のデータを高速かつリアルタイムに伝送する技術として、例えば、ディジタルテレビ、ディジタルビデオなどの接続用インタフェースにＩＥＥＥ１３９４が採用されている。
【０００３】
また、最近では機器間の接続を簡単にするために、無線ＬＡＮを利用してＤＶＤ／ＨＤＤレコーダやパソコン、液晶モニタなどを接続できるようになっている。この無線ＬＡＮの代表的な技術としては、ＩＥＥＥにおいて標準化されているＩＥＥＥ８０２．１１があり、２．４ＧＨｚ帯を使用するものが主流となっている。２．４ＧＨｚ帯はＩＳＭ（Industrial, Scientific and Medical）バンドとよばれ、産業用や医療用、家庭用の電子レンジなどに使われる周波数帯であり、日本では２．４００〜２．４９７ＧＨｚが無線ＬＡＮに割り当てられている。
【０００４】
上述した無線ＬＡＮを利用したデータ伝送システムは、例えば、ＤＶＤ／ＨＤＤレコーダ等のＡＶソース機器（コンテンツ提供手段）とサーバ機器とを接続し、液晶モニタ等の出力手段とクライアント機器とを接続して構成され、サーバ機器とクライアント機器間で無線通信により映像データ等のデータ伝送を行う。このようなデータ伝送システムにおいては、クライアント機器に対してＤＶＤ／ＨＤＤレコーダのリモコン操作を行うことで、サーバ機器を介してＤＶＤ／ＨＤＤレコーダを制御することができる。例えば、コンテンツ提供手段の有する情報（例えばメディアに記録されているＡＶデータのタイトル等）を出力手段に表示させることができ、この表示画面において所定の入力操作を行うことで、容易に所望のＡＶデータを再生することができる。
【０００５】
このような出力手段にコンテンツ提供手段から送信された情報を表示させる技術として、例えば特許文献１，２がある。特許文献１には、複数の入力ソース（コンテンツ提供手段）から複数のデータ列を入力可能であり、複数のデータ列にそれぞれ対応する画像を同時に表示できるようにした情報処理装置が開示されている。また、特許文献２には、複数のＡＶ機器が伝送路を介して接続されたＡＶＣシステムにおいて、ユーザインターフェースを有するコントローラに制御対象であるデバイスの操作画面情報を表示できるようにした技術が開示されている。
【特許文献１】特開２００３−１７４５９８号
【特許文献２】再公表特許ＷＯ００／０１１９１号
【発明の開示】
【発明が解決しようとする課題】
【０００６】
ところで、上述した無線伝送システムにおいては、機器間の配線を省略できるという利点を有する一方、コンテンツ提供手段と出力手段を直接有線で接続した場合に比較してデータの伝送処理が複雑となるため、クライアント機器側におけるリモコン操作に対する反応速度が遅くなる（遅延が生じる）という欠点がある。また、コンテンツ提供手段が複数ある場合は、有効化された１つのコンテンツ提供手段からの情報しか出力手段に表示することができない。すなわち、クライアント機器から有効化するコンテンツ提供手段の切換を要求し所望の情報の表示要求を行わなければ、他方のコンテンツ提供手段からの情報を表示させることができないので、ユーザにとっては無駄に時間がかかる上、リモコン装置からの入力操作が煩雑となる。
【０００７】
本発明は、無線伝送路を介して複数のコンテンツ提供手段からのタイトルデータを効率的に取得・表示できるとともに、ユーザの入力操作に伴う負担を軽減できるデータ伝送システムを提供することを目的とする。
【課題を解決するための手段】
【０００８】
本発明は、上記課題を解決するためになされたものであり、ＡＶデータ及びＡＶデータに対応するタイトルデータを含むディジタルデータが格納されたコンテンツ提供手段からタイトルデータを取得するタイトルデータ取得手段を有するサーバ機器と、上記タイトルデータ取得手段により取得されたタイトルデータを出力手段に表示するタイトル表示制御手段を有するクライアント機器と、を備え、上記サーバ機器とクライアント機器とが伝送路を介して通信可能に構成されたデータ伝送システムにおいて、上記クライアント機器は、タイトルデータを格納可能なタイトルデータ記憶手段と、複数のコンテンツ提供手段から取得された複数のタイトルデータをコンテンツ提供手段ごとに上記タイトルデータ記憶手段に格納するタイトルデータ管理手段と、を備え、上記タイトルデータ管理手段は、所定の入力操作情報を受信することに基づいて、上記タイトルデータ記憶手段に格納された複数のタイトルを上記タイトル表示制御手段により出力手段に表示させることを特徴とする。
【０００９】
また、上記タイトルデータ取得手段は、上記コンテンツ提供手段に格納されたタイトルデータを監視可能に構成され、上記コンテンツ提供手段においてタイトルデータが更新された場合にタイトルデータを取得するようにした。ここで、タイトルデータが更新された場合とは、ＤＶＤレコーダ等においてＤＶＤメディアが交換されたときや、ＨＤＤレコーダ等においてハードディスクに新たに番組録画が行われたとき等が該当する。例えば、ＤＶＤメディアの交換はＤＶＤプレイヤーの動作制御を監視することにより実現でき、ＨＤＤへの新たな番組録画は所定の時間間隔でＨＤＤに記録されているタイトルを監視することで実現できる。
【００１０】
また、上記タイトルデータは、タイトルデータに対応するＡＶデータを再生するためのコマンドデータを含み、上記クライアント機器は、所定の入力操作情報を受信することに基づいて、上記再生コマンドデータを上記サーバ機器に送信し対応するＡＶデータの再生を要求する再生制御手段を備えるようにした。これにより、ユーザは容易に所望のタイトルに対応するＡＶデータを再生させることができるので、リモコン装置からの入力操作に伴う負担を軽減できる。
【００１１】
さらに、上記タイトルデータ管理手段は、所定の入力操作情報を受信することに基づいて、上記タイトルデータ記憶手段に格納された複数のタイトルを上記タイトル表示制御手段により出力手段の同一画面に表示させるようにした。これにより、複数のコンテンツ提供手段に格納されているタイトルを同一画面で確認できるので、ユーザは再生させるべきタイトルを容易に選択することができる。
【００１２】
また、サーバ機器は、複数のコンテンツ提供装置を接続可能に構成されるようにした。これにより、コンテンツ提供装置とサーバ装置を一対一で設ける必要はないのでシステム構成が簡略化される。
【発明の効果】
【００１３】
本発明によれば、サーバ機器とクライアント機器とが伝送路を介して通信可能に構成されたデータ伝送システムにおいて、クライアント機器はタイトルデータを格納可能なタイトルデータ記憶手段と、複数のコンテンツ提供手段から取得された複数のタイトルデータをコンテンツ提供手段ごとにタイトルデータ記憶手段に格納するタイトルデータ管理手段と、を備え、タイトルデータ管理手段は、所定の入力操作情報を受信することに基づいて、タイトルデータ記憶手段に格納された複数のタイトルをタイトル表示制御手段により出力手段に表示させるようにしたので、クライアント機器から有効化するコンテンツ提供手段の切換を要求しなくても所望の情報を瞬時に表示させることができる。これにより、タイトルデータの表示時間が短縮されるとともに、リモコン装置からの入力操作を簡略化することができる。
【発明を実施するための最良の形態】
【００１４】
以下、本発明の好適な実施の形態を図面に基づいて説明する。図１は、本実施形態のデータ伝送システムの概略構成図である。
【００１５】
本実施形態に係るデータ伝送システム１００は、映像データ及び音声データを含むコンテンツ（アナログデータ又はディジタルデータ）を提供するコンテンツ提供装置１１，１２と、サーバ機器２０と、クライアント機器３０と、液晶モニタ等の出力装置４０と、で構成される。本実施形態では、サーバ機器２０にハードディスクレコーダ等のＰＶＲ１１とＤＶＤレコーダ１２の２つのコンテンツ提供装置１１，１２が接続されている構成としている。
【００１６】
データ伝送システム１００において、例えば、コンテンツ提供装置１１，１２とサーバ機器２０は所定のケーブルで接続され、ＡＶデータはアナログ信号として、タイトルデータはディジタル信号としてコンテンツ提供装置１１，１２からサーバ機器２０に供給される。なお、ＡＶデータもディジタル信号として供給されるように構成してもよい。
【００１７】
コンテンツ提供装置１１，１２には、例えば、ＭＰＥＧ２方式に従い圧縮符号化されたディジタルＡＶデータ及びＡＶデータに対応するタイトルデータを格納されている。このタイトルデータは例えばテキストデータ及び対応するＡＶデータを再生させるためのコマンドデータを含んで構成される。また、コンテンツ提供装置１１，１２は、ＡＶデータ生成部（図示しない）を有し、ハードディスクやＤＶＤ等の記録媒体からコンテンツ（映像データ、音声データ）を読出し、所定のフォーマットに変換してアナログＡＶデータとして出力する。
【００１８】
図２は、サーバ機器２０の概略構成図である。図２に示すように、サーバ機器２０は、Ａ／Ｄ変換部２１ａ，２１ｂと、ＭＰＥＧエンコーダ２２と、タイトルデータ取得部２３と、無線ＬＡＮ通信部２４と、高周波増幅部２５と、アンテナ２６と、サーバ制御部２７と、を有し、コンテンツ提供装置１１，１２から供給されたＡＶデータ１，２及びタイトルデータ１，２をＭＰＥＧ２準拠のトランスポートストリーム形式でクライアント機器３０に送信する。
【００１９】
Ａ／Ｄ変換部２１ａは、コンテンツ提供装置１１から送信されたアナログＡＶデータをディジタルデータに変換する。Ａ／Ｄ変換部２１ｂは、コンテンツ提供装置１２から送信されたアナログＡＶデータをディジタルデータに変換する。ＭＰＥＧエンコーダ２２は、Ａ／Ｄ変換部２１ａ，２１ｂから供給されたディジタルＡＶデータをＭＰＥＧ２方式に従い圧縮符号化する。
【００２０】
タイトルデータ取得部２３は、コンテンツ提供装置１１，１２からＡＶデータ１，２に対応するタイトルデータ１，２を取得する。ここで、タイトルデータ取得部２３は、コンテンツ提供装置１１，１２に格納されているタイトルデータを監視可能に構成され、コンテンツ提供装置１１，１２においてタイトルデータが更新された場合にタイトルデータを取得する。例えば、所定の時間間隔でハードディスクに記録されているタイトルを監視し、コンテンツ提供装置（ＰＶＲ）１１において新たに番組録画が行われたときにタイトルデータを更新する。また、コンテンツ提供装置（ＤＶＤ）１２のディスクトレイの開閉動作を監視し、ＤＶＤメディアが交換されたと判断したときにタイトルデータを更新する。
【００２１】
無線ＬＡＮ通信部２４は、ＭＰＥＧエンコーダ２２及びタイトルデータ取得部２３から出力されたディジタルデータに対して、プロトコル処理及び変復調処理を行う。高周波増幅部２５は、ＲＦ信号を高周波増幅しアンテナ２６を介してクライアント機器３０に送信する。例えば、中心周波数が２．４１２ＧＨｚの周波数帯域の通信チャンネルを介してＲＦ信号を送信する。
【００２２】
サーバ制御部２７は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。例えば、サーバ制御部２７は、クライアント機器３０からＡＶデータの再生要求を受けた場合に、コンテンツ提供装置１１，１２から該当するＡＶデータを読み出し、クライアント機器３０に送信するように制御する。
【００２３】
図３は、クライアント機器３０の概略構成図である。図３に示すように、クライアント機３０は、アンテナ３１と、高周波増幅部３２と、無線ＬＡＮ通信部３３と、ＭＰＥＧデコーダ３４と、Ｄ／Ａ変換部３５と、タイトルデータ管理部３６と、タイトルデータ記憶部３７と、クライアント制御部３８と、リモコン受信部３９と、を有し、サーバ機器２０から送信されたディジタルデータを受信し、出力装置４０に出力する。
【００２４】
アンテナ３１は、サーバ機器２０から通信チャンネルを介して送信されたＲＦ信号を受信して、受信したＲＦ信号を高周波増幅部３２に供給する。高周波増幅部３２は、アンテナ３１により受信されたＲＦ信号を高周波増幅し、無線ＬＡＮ通信部３３に供給する。無線ＬＡＮ通信部３３は、高周波増幅部３２から供給されたディジタルデータに対してプロトコル処理及び変復調処理を行う。
【００２５】
ＭＰＥＧデコーダ３４は、無線ＬＡＮ通信部３３から供給されたディジタルＡＶデータを伸張復号化する。Ｄ／Ａ変換部３５は、ＭＰＥＧデコーダ３４から供給されたディジタルＡＶデータ又はタイトルデータ管理部３６から供給されたタイトルデータをアナログ変換し、出力装置４０に出力する。
【００２６】
タイトルデータ管理部３６は、無線ＬＡＮ通信部３３から供給されたタイトルデータをコンテンツ提供装置ごとにタイトルデータ記憶部３７に格納する。すなわち、コンテンツ提供装置１１のタイトルデータとしてタイトルデータ１を格納し、コンテンツ提供装置１２のタイトルデータとしてタイトルデータ２を格納する。また、タイトルデータ管理手段３６は、リモコン装置５０からタイトルリスト表示に関する入力操作情報を受信することに基づいて、タイトルデータ記憶手段３７に格納されている複数のタイトルをタイトル表示制御手段により出力装置４０に表示させる。
【００２７】
リモコン受信部３９は、ユーザがリモコン装置５０を操作して送信された信号（例えば赤外線）を受信する。
【００２８】
クライアント制御部３８は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。例えば、上述したタイトル表示制御手段として機能する。また、リモコン装置５０から再生に関する入力操作情報を受信することに基づいて、タイトルデータに含まれる再生コマンドデータをサーバ機器２０に送信し対応するＡＶデータの再生を要求する再生制御手段として機能する。
【００２９】
図４は、出力装置４０に表示されるタイトル画面の一表示例である。図４に示すように、コンテンツ提供装置１１，１２に格納されているＡＶデータに対応するタイトルＴ１，Ｔ２が出力装置４０に同時に表示される。なお、従来技術では、有効化されているコンテンツ提供装置からしかタイトルデータを取得することができないので、コンテンツ提供装置１１に格納されているＡＶデータに対応するタイトルＴ１又はコンテンツ提供装置１２に格納されているＡＶデータに対応するタイトルＴ２の何れか一方しか表示させることはできない。
【００３０】
また、ユーザは図４に示すタイトル画面において、リモコン装置５０を用いてカーソルＣを所望のタイトル（図４では「映画Ｂ」）に移動させ、再生ボタンの入力操作を行うことで、当該タイトルに対応するＡＶデータを再生することができる。
【００３１】
図５は、コンテンツ提供装置１１，１２からタイトルデータを取得するときの処理制御について示したフローチャートである。
【００３２】
まず、サーバ機器２０において、タイトルデータ取得部２３はコンテンツ提供装置１１のタイトルデータ１を取得する（ステップＳ１０１）。次いで、タイトルデータ取得部２３はコンテンツ提供装置１２のタイトルデータ２を取得する（ステップＳ１０２）。
【００３３】
次いで、タイトルデータ１，２をクライアント機器３０に送信する（ステップＳ１０３）。そして、クライアント機器３０において、タイトルデータ管理部３６は、タイトルデータ１，２をタイトルデータ記憶部３７に格納する。
【００３４】
このようにして、コンテンツ提供装置１１，１２に格納されているＡＶデータに対応するタイトルデータはタイトルデータ記憶部３６に格納されることとなる。例えば、上述したタイトルデータ取得処理は、サーバ機器２０及びクライアント機器３０の電源がＯＮされたときに実行され、その後はコンテンツ提供装置１１，１２に格納されているタイトルデータが更新された場合に実行される。
【００３５】
なお、図５のフローチャートでは、タイトルデータ１，２を取得した後、これらのデータを同時にクライアント機器３０に送信するようにしているが、タイトルデータを取得する都度、クライアント機器３０に送信するようにしてもよい。
【００３６】
図６は、出力装置４０にタイトルデータを表示させるときの処理制御について示したフローチャートである。
【００３７】
まず、クライアント機器３０において、タイトルリストの表示要求があるか、具体的にはリモコン装置５０からタイトルリストを表示させるための入力操作が行われたか判定する（ステップＳ２０１）。そして、タイトルリスト表示の要求があったと判定した場合は、コンテンツ提供装置１１，１２に格納されているＡＶデータに対応するタイトル１，２を同時に出力装置４０に表示させる。このとき、出力装置４０には図４に示す表示がなされる。
【００３８】
次いで、このタイトルリスト表示画面においてタイトル指定があるか、具体的にはリモコン装置５０からタイトルを選択し再生させるための入力操作が行われたか判定する（ステップＳ２０３）。そして、タイトル指定があったと判定した場合は、指定されたタイトルに対応するＡＶデータの再生処理を実行する。つまり、クライアント機器３０は、選択されたタイトルのタイトルデータに含まれる再生コマンドデータをサーバ機器２０に送信することで対応するＡＶデータの再生を要求し、サーバ機器２０から返信された当該ＡＶデータを受信し再生する。
【００３９】
このように、本実施形態では、クライアント機器３０はタイトルデータを格納可能なタイトルデータ記憶手段３７と、複数のコンテンツ提供手段１１，１２から取得された複数のタイトルデータ１，２をコンテンツ提供手段１１，１２ごとにタイトルデータ記憶手段３７に格納するタイトルデータ管理手段３６と、を備え、タイトルデータ管理手段３６は、リモコン装置５０から所定の入力操作情報を受信することに基づいて、タイトルデータ記憶手段３７に格納された複数のタイトル１，２を出力装置４０に表示させるので、クライアント機器３０から有効化するコンテンツ提供装置の切換を要求しなくても所望の情報（例えばタイトルリスト）を瞬時に表示させることができる。これにより、タイトルリストの表示時間が短縮されるとともに、リモコン装置５０からの入力操作を簡略化することができる。
【００４０】
また、ユーザは容易に所望のタイトルに対応するＡＶデータを再生させることができるので、リモコン装置５０からの入力操作に伴う負担を軽減できる。さらに、タイトルデータ管理部３６は、リモコン装置５０からの入力操作情報を受信することに基づいて、タイトルデータ記憶部３７に格納された複数のタイトルをタイトル表示制御手段により出力装置４０に同時に表示するので、複数のコンテンツ提供装置１１，１２に格納されているタイトルを同一画面で確認することができ、ユーザは再生させるべきタイトルを容易に選択することができる。
【００４１】
以上、本発明者によってなされた発明を実施形態に基づいて具体的に説明したが、本発明は上記実施形態に限定されるものではなく、その要旨を逸脱しない範囲で変更可能である。
【００４２】
例えば、上記実施形態では、ＩＥＥＥ８０２．１１ｇで規定された２．４ＧＨｚ帯の無線ＬＡＮについて説明したが、その他の伝送技術を利用することもできる。例えば、ＩＥＥＥ８０２．１１ａで規定された５．２ＧＨｚ帯の無線ＬＡＮやＩＥＥＥ８０２．１１ｂで規定された２．４ＧＨｚ帯の無線ＬＡＮ、又は光無線ＬＡＮ等を利用することができる。また、無線伝送技術に限らず有線伝送技術を利用する場合にも適用することができる。
【００４３】
また、上記実施形態ではサーバ機器２０に２つのコンテンツ提供装置１１，１２を接続したシステム構成について説明したが、コンテンツ提供装置を３つ以上接続した構成とすることもできる。また、コンテンツ提供装置ごとにサーバ機器を設けるようにし、複数のサーバ機器から１つのクライアント機器に対してタイトルデータが送信されるようにしてもよい。
【図面の簡単な説明】
【００４４】
【図１】本実施形態のデータ伝送システムの概略構成図である。
【図２】サーバ機器２０の概略構成図である。
【図３】クライアント機器３０の概略構成図である。
【図４】図４は、出力装置４０に表示されるタイトル画面の一表示例である。
【図５】タイトルデータ取得処理について示したフローチャートである。
【図６】タイトルデータ表示処理について示したフローチャートである。
【符号の説明】
【００４５】
１１  コンテンツ提供装置１（ＰＶＲ）
１２  コンテンツ提供装置２（ＤＶＤ）
２０  サーバ機器
２１  Ａ／Ｄ変換部
２２  ＭＰＥＧエンコーダ
２３  タイトルデータ取得部
２４  無線ＬＡＮ通信部
２５  高周波増幅部
２６  アンテナ
２７  サーバ制御部
３０  クライアント機器
３１  アンテナ
３２  高周波増幅部
３３  無線ＬＡＮ通信部
３４  ＭＰＥＧデコーダ
３５  Ｄ／Ａ変換部
３６  タイトルデータ管理部
３７  タイトルデータ記憶部
３８  クライアント制御部
３９  リモコン受信部
４０  出力装置
５０  リモコン装置
【図１】
2006270686.tif 000003
【図２】
2006270686.tif 000004
【図３】
2006270686.tif 000005
【図４】
2006270686.tif 000006
【図５】
2006270686.tif 000007
【図６】
2006270686.tif 000008